(57)【要約】【課題】部品点数を増加させることなく、スタンド部材の使用時の設置面に対する滑りおよび転倒を抑制するとともに、スタンド部材の非使用時に設置されるのを防止することが可能な液晶テレビを提供する。【解決手段】この液晶テレビ１０では、樹脂フレーム２の底部２ｂには、スタンド部材４の使用時の開状態で設置面５０に面状に当接する傾斜面２ｃと、樹脂フレーム２を垂直に立てた状態で水平方向（図２のＸ１方向）に対して角度γ（５°〜２０°）傾斜した傾斜面２ｄとが設けられている。また、スタンド部材４には、使用時の開状態で設置面５０に面状に当接する傾斜面４ｂを有するゴム製の当接部４ａがスタンド部材４の垂直方向の中心線に対して左右一対設けられている。また、スタンド部材４は、１つ設けられるとともに、ベース部材３に対して閉じた非使用時の閉状態で樹脂フレーム２の底部２ｂから下方に長さｄだけ突出するように設けられている。【選択図】図２
2006173847.tif 000002
【特許請求の範囲】
【請求項１】
装置本体を構成するとともに設置時に底部が設置面に当接する筐体と、前記筐体の背面に取り付けられたベース部材と、前記ベース部材に回動可能に取り付けられ、使用時に前記ベース部材に対して所定の角度回動された開状態で前記装置本体を前記筐体の底部とにより支持し、かつ、非使用時に前記ベース部材に対して閉じた閉状態で前記ベース部材に収納されるスタンド部材とを備えた液晶テレビにおいて、
前記筐体の底部には、前記スタンド部材の使用時の開状態で前記設置面に面状に当接する第１傾斜面と、前記筐体を垂直に立てた状態で水平方向に対して所定の角度傾斜した第２傾斜面とが設けられており、
前記スタンド部材には、前記使用時の開状態で前記設置面に面状に当接する第３傾斜面を有するゴム製の当接部が前記スタンド部材の垂直方向の中心線に対して左右一対設けられており、
前記スタンド部材は、一つ設けられているとともに、前記ベース部材に対して閉じた前記非使用時の閉状態で前記筐体の底部から下方に所定の長さだけ突出するように設けられている、液晶テレビ。
【請求項２】
装置本体を構成するとともに設置時に底部が設置面に当接する筐体と、
前記筐体の背面に取り付けられたベース部材と、
前記ベース部材に回動可能に取り付けられ、使用時に前記ベース部材に対して所定の角度回動された開状態で前記装置本体を前記筐体の底部とにより支持し、かつ、非使用時に前記ベース部材に対して閉じた閉状態で前記ベース部材に収納される１つのスタンド部材とを備え、
前記筐体の底部には、前記スタンド部材の使用時の開状態で前記設置面に面状に当接する第１傾斜面と、前記筐体を垂直に立てた状態で水平方向に対して所定の角度傾斜した第２傾斜面とが設けられており、
前記スタンド部材には、前記使用時の開状態で前記設置面に面状に当接する第３傾斜面を有する当接部が設けられている、表示装置。
【請求項３】
前記スタンド部材は、前記ベース部材に対して閉じた前記非使用時の閉状態で前記筐体の底部から下方に所定の長さだけ突出するように設けられている、請求項２に記載の表示装置。
【請求項４】
前記スタンド部材の当接部は、前記スタンド部材の垂直方向の中心線に対して左右一対設けられている、請求項２または３に記載の表示装置。
【請求項５】
前記スタンド部材の当接部は、ゴムにより形成されている、請求項２〜４のいずれか１項に記載の表示装置。
【発明の詳細な説明】
【技術分野】
【０００１】
この発明は、液晶テレビおよび表示装置に関し、特に、スタンド部材を備えた液晶テレビおよび表示装置に関する。
【背景技術】
【０００２】
従来、スタンド部材を備えた表示装置が知られている（たとえば、特許文献１〜３参照）。
【０００３】
上記特許文献１には、液晶テレビの底面に滑り止め用のゴム部材を設けるとともに、スタンド部材に円筒状に形成された滑り止め用のゴム製のリング部材を設けた液晶テレビ（表示装置）が開示されている。
【０００４】
また、上記特許文献２には、キャスターを有するとともに伸縮可能な角度固定支持脚（スタンド部材）が表示ユニット部の下方に向けて２つ取り付けられ、伸縮可能な角度可変支持脚（スタンド部材）が表示ユニット部の背面に２つ取り付けられた合計４つのスタンド部材を有する平面型表示装置が開示されている。
【０００５】
また、上記特許文献３には、装置本体の下部両側に２つの樹脂製のスライド支脚（スタンド部材）を設けるとともに、装置本体の背面に対して回動される１つの回動支脚（スタンド部材）に円筒状に形成されたゴム製脚が設けられた合計３つのスタンド部材を有する表示装置が開示されている。
【０００６】
また、従来、表示装置の一例として、液晶テレビが知られている。図８は、従来の液晶テレビの全体構成を示した背面図である。図９は、図８に示した従来の液晶テレビのスタンド部材の使用時の側面図である。図１０は、図８に示した従来の液晶テレビのスタンド部材の当接部の部分拡大図である。まず、図８〜図１０を参照して、従来の一例による液晶テレビ１１０の構造について説明する。
【０００７】
従来の液晶テレビ１１０には、図８および図９に示すように、液晶表示ユニット１０１（図９参照）の側面および裏面を取り囲むように配置された樹脂フレーム１０２が設けられている。また、樹脂フレーム１０２は、図９に示すように、背面１０２ａおよび底面１０２ｂを有する。また、樹脂フレーム１０２の底面１０２ｂは、液晶テレビ１１０を垂直に立てた状態で水平方向（図９のＸ２方向）に平行になるように形成されている。また、樹脂フレーム１０２の背面１０２ａには、ベース部材１０３が取り付けられている。このベース部材１０３には、スタンド部材１０４が回動可能に取り付けられている。また、スタンド部材１０４には、図１０に示すように、使用時の開状態で設置面１５０に線状に接触する接触部１０４ａが設けられている。また、ベース部材１０３には、図８に示すように、４つのねじ孔１０３ａが設けられている。このベース部材１０３のねじ孔１０３ａに、４つのねじ１０５が挿入されて締め付けられることにより、図９に示すように、樹脂フレーム１０２の背面１０２ａに、ベース部材１０３が装着されている。
【０００８】
図１１は、図８に示した従来の液晶テレビのスタンド部材の非使用時の側面図である。次に、図９〜図１１を参照して、従来の一例による液晶テレビ１１０の設置方法およびスタンド部材の非使用時の状態について説明する。
【０００９】
まず、図９に示すように、液晶テレビ１１０を設置面１５０上に設置する際には、スタンド部材１０４は、ベース部材１０３に対して所定の角度分だけ回動された開状態で液晶
テレビ１１０を支持する。この際、樹脂フレーム１０２の底面１０２ｂと、スタンド部材１０４の接触部１０４ａ（図１０参照）とが、設置面１５０に線状に接触する。その一方、スタンド部材１０４の非使用時には、図１１に示すように、スタンド部材１０４は、ベース部材１０３に対して閉じた閉状態にされる。
【特許文献１】実用新案登録第３０９６７４６号公報
【特許文献２】特開平１１−３３１７３５号公報
【特許文献３】特開２００２−３２０２８号公報
【発明の開示】
【発明が解決しようとする課題】
【００１０】
図８〜図１１に示した従来の液晶テレビ１１０では、設置面１５０上に設置する際には、樹脂フレーム１０２の底面１０２ｂと、スタンド部材１０４の接触部１０４ａとが設置面１５０に線状に接触するので、たとえば、設置面１５０を傾斜させた場合には、液晶テレビ１１０が設置面１５０に対して滑りやすいという問題点があった。また、液晶テレビ１１０を垂直に立てた状態で水平方向（図１１のＸ２方向）に平行になるように形成されている樹脂フレーム１０２の底面１０２ｂを設置面１５０に設置することが可能であるので、スタンド部材１０４が使用されない不安定な状態においても、液晶テレビ１１０が樹脂フレーム１０２の底面１０２ｂにより設置される。この場合、不安定な状態で設置された液晶テレビ１１０が転倒することに起因して液晶テレビ１１０が破損するという問題点があった。
【００１１】
また、上記特許文献１に開示された表示装置では、液晶テレビの底面に滑り止め用のゴム部材を設けるため、その分、部品点数が増加するという問題点がある。また、液晶テレビを設置する際に、スタンド部材の円筒状に形成された滑り止め用のゴム製のリング部材が設置面に線状に接触するので、たとえば設置面を傾斜させた場合には、液晶テレビが設置面に対して滑りやすいという問題点がある。
【００１２】
また、上記特許文献２に開示された平面型表示装置では、平面型表示装置を設置する際に、キャスターを有する角度固定支持脚（スタンド部材）により設置面に設置されるので、たとえば設置面を傾斜させた場合には、平面型表示装置が設置面に対して滑りやすいという問題点がある。また、合計４つのスタンド部材を設ける必要があるので、その分、部品点数が増加するという問題点がある。
【００１３】
また、上記特許文献３に開示された表示装置では、表示装置を設置する際に、回動支脚（スタンド部材）の円筒状に形成されたゴム製脚が設置面に線状に接触するので、たとえば設置面を傾斜させた場合には、表示装置が設置面に対して滑りやすいという問題点がある。また、合計３つのスタンド部材を設ける必要があるので、その分、部品点数が増加するという問題点がある。
【００１４】
この発明は、上記のような課題を解決するためになされたものであり、この発明の１つの目的は、部品点数を増加させることなく、スタンド部材の使用時の設置面に対する滑りおよび転倒を抑制するとともに、スタンド部材の非使用時に設置されるのを防止することが可能な液晶テレビおよび表示装置を提供することである。
【課題を解決するための手段】
【００１５】
上記目的を達成するために、この発明の第１の局面における液晶テレビは、装置本体を構成するとともに設置時に底部が設置面に当接する筐体と、筐体の背面に取り付けられたベース部材と、ベース部材に回動可能に取り付けられ、使用時にベース部材に対して所定の角度回動された開状態で装置本体を筐体の底部とにより支持し、かつ、非使用時にベー
ス部材に対して閉じた閉状態でベース部材に収納されるスタンド部材とを備えた液晶テレビにおいて、筐体の底部には、スタンド部材の使用時の開状態で設置面に面状に当接する第１傾斜面と、筐体を垂直に立てた状態で水平方向に対して所定の角度傾斜した第２傾斜面とが設けられており、スタンド部材には、使用時の開状態で設置面に面状に当接する第３傾斜面を有するゴム製の当接部がスタンド部材の垂直方向の中心線に対して左右一対設けられており、スタンド部材は、１つ設けられているとともにベース部材に対して閉じた非使用時の閉状態で筐体の底部から下方に所定の長さだけ突出するように設けられている。
【００１６】
この発明の第１の局面による液晶テレビでは、上記のように、筐体の底部に、スタンド部材の使用時の開状態で設置面に面状に当接する第１傾斜面を設けるとともに、スタンド部材に、スタンド部材の使用時の開状態で設置面に面状に当接する第３傾斜面を有する当接部を設けることによって、設置面に対して筐体の底部およびスタンド部材が線状に当接する場合に比べて、面状に当接する第１傾斜面および第３傾斜面の部分だけ当接部および筐体の底部と、設置面との接触面積が増加するので、設置面を傾斜させた場合にもスタンド部材の使用時の開状態で液晶テレビが設置面に対して滑るのをより抑制することができるとともに、液晶テレビが転倒するのを抑制することができる。また、筐体の底部に、筐体を垂直に立てた状態で水平方向に対して所定の角度傾斜した第２傾斜面を設けることによって、スタンド部材の非使用時に筐体の底部を垂直に立てた状態で設置面に設置しようとした場合に、転倒しやすくすることができるので、スタンド部材が使用されない不安定な状態で液晶テレビが設置されるのを防止することができる。その結果、スタンド部材の非使用時に、不安定な状態で設置された液晶テレビが転倒することに起因して液晶テレビが破損するのを防止することができる。また、筐体の底部に面状に当接する第１傾斜面を設けることによって、筐体の底部に滑り止め用のゴム部材を設けなくても、スタンド部材の使用時の開状態で液晶テレビが設置面に対して滑るのをより抑制することができるので、部品点数が増加するのを抑制することができる。また、１つのスタンド部材の当接部と筐体の底部とにより、液晶テレビを設置することができるので、スタンド部材を複数設ける必要がない。これによっても、部品点数が増加するのを抑制することができる。
【００１７】
また、第１の局面では、スタンド部材を、閉状態で筐体の底部から下方に所定の長さだけ突出するように設けることによって、スタンド部材の非使用時に筐体の底部を垂直に立てた状態で設置面に設置しようとした際に、スタンド部材の下方に設けられた当接部を設置面に線状に接触させることができる。これにより、液晶テレビをより転倒しやすくすることができるので、スタンド部材が使用されない不安定な状態で液晶テレビが設置されるのをより防止することができる。また、スタンド部材の当接部を、スタンド部材の垂直方向の中心線に対して左右一対設けることによって、スタンド部材の使用時の開状態で液晶テレビが設置面に対して滑るのをさらに抑制することができる。また、スタンド部材の当接部をゴムにより形成することによって、スタンド部材の使用時の開状態で液晶テレビが設置面に対して滑るのをさらに抑制することができる。
【００１８】
この発明の第２の局面における表示装置は、装置本体を構成するとともに設置時に底部が設置面に当接する筐体と、筐体の背面に取り付けられたベース部材と、ベース部材に回動可能に取り付けられ、使用時にベース部材に対して所定の角度回動された開状態で装置本体を筐体の底部とにより支持し、かつ、非使用時にベース部材に対して閉じた閉状態でベース部材に収納される１つのスタンド部材とを備え、筐体の底部には、スタンド部材の使用時の開状態で設置面に面状に当接する第１傾斜面と、筐体を垂直に立てた状態で水平方向に対して所定の角度傾斜した第２傾斜面とが設けられており、スタンド部材には、使用時の開状態で設置面に面状に当接する第３傾斜面を有する当接部が設けられている。
【００１９】
この発明の第２の局面による表示装置では、上記のように、筐体の底部に、スタンド部
材の使用時の開状態で設置面に面状に当接する第１傾斜面を設けるとともに、スタンド部材に、スタンド部材の使用時の開状態で設置面に面状に当接する第３傾斜面を有する当接部を設けることによって、設置面に対して筐体の底部およびスタンド部材が線状に当接する場合に比べて、面状に当接する第１傾斜面および第３傾斜面の部分だけ当接部および筐体の底部と、設置面との接触面積が増加するので、スタンド部材の使用時の開状態で液晶テレビが設置面に対して滑るのをより抑制することができるとともに、液晶テレビが転倒するのを抑制することができる。また、筐体の底部に、筐体を垂直に立てた状態で水平方向に対して所定の角度傾斜した第２傾斜面を設けることによって、スタンド部材の非使用時に筐体の底部を垂直に立てた状態で設置面に設置しようとした場合に、転倒しやすくすることができるので、スタンド部材が使用されない不安定な状態で表示装置が設置されるのを防止することができる。その結果、スタンド部材の不使用時に、不安定な状態で設置された表示装置が転倒することに起因して表示装置が破損するのを防止することができる。また、筐体の底部に面状に当接する第１傾斜面を設けることによって、筐体の底部に滑り止め用のゴム部材を設けなくても、スタンド部材の使用時の開状態で表示装置が設置面に対して滑るのをより抑制することができるので、部品点数が増加するのを抑制することができる。また、１つのスタンド部材の当接部と筐体の底部とにより、表示装置を設置することができるので、スタンド部材を複数設ける必要がない。これによっても、部品点数が増加するのを抑制することができる。
【００２０】
上記第２の局面による表示装置において、好ましくは、スタンド部材は、ベース部材に対して閉じた非使用時の閉状態で筐体の底部から下方に所定の長さだけ突出するように設けられている。このように構成すれば、スタンド部材の非使用時に筐体の底部を垂直に立てた状態で設置面に設置しようとした際に、スタンド部材の下方に設けられた当接部を設置面に線状に接触させることができる。これにより、液晶テレビをより転倒しやすくすることができるので、スタンド部材が使用されない不安定な状態で液晶テレビが設置されるのをより防止することができる。
【００２１】
上記第２の局面による表示装置において、好ましくは、スタンド部材の当接部は、スタンド部材の垂直方向の中心線に対して左右一対設けられている。このように構成すれば、スタンド部材の使用時の開状態で表示装置が設置面に対して滑るのをさらに抑制することができる。
【００２２】
上記第２の局面による表示装置において、好ましくは、スタンド部材の当接部は、ゴムにより形成されている。このように構成すれば、スタンド部材の使用時の開状態で表示装置が設置面に対して滑るのをさらに抑制することができる。
【発明を実施するための最良の形態】
【００２３】
以下、本発明の実施形態を図面に基づいて説明する。なお、以下の実施形態では、表示装置の一例として液晶テレビを例にとって説明する。
【００２４】
図１は、本発明の一実施形態による液晶テレビの全体構成を示した正面図である。図２は、図１に示した一実施形態による液晶テレビのスタンド部材の使用時の側面図である。図３〜図５は、図１に示した一実施形態による液晶テレビの構造の詳細を説明するための図である。まず、図１〜図５を参照して、本発明の一実施形態による液晶テレビ１０の構造について説明する。
【００２５】
本発明の一実施形態による液晶テレビ１０には、図１および図２に示すように、１４インチの表示領域を有する液晶表示ユニット１の側面および裏面を取り囲むように配置された樹脂フレーム２（図２参照）が設けられている。なお、樹脂フレーム２は、本発明の「筐体」の一例である。
【００２６】
ここで、本実施形態では、樹脂フレーム２は、図２に示すように、背面２ａおよび底部２ｂを有する。また、樹脂フレーム２の底部２ｂには、図３に示すように、樹脂フレーム２の背面２ａに対して角度β（１００°〜１２０°）傾斜する傾斜面２ｃが設けられている。この傾斜面２ｃは、図２に示すように、スタンド部材４の使用時の開状態で設置面５０に面状に当接し、幅Ｗ１を有する。また、樹脂フレーム２の底部２ｂには、液晶テレビ１０を垂直に立てた状態で水平方向（図３のＸ１方向）に対して角度γ（５°〜２０°）傾斜した傾斜面２ｄが設けられている。なお、傾斜面２ｃは、本発明の「第１傾斜面」の一例であり、傾斜面２ｄは、本発明の「第２傾斜面」の一例である。
【００２７】
また、樹脂フレーム２の背面２ａの収納部２ｅには、図２に示すように、ベース部材３が取り付けられている。このベース部材３には、樹脂製のスタンド部材４が回動可能に取り付けられている。
【００２８】
また、本実施形態では、図３に示すように、スタンド部材４の非使用時の閉状態でスタンド部材４は、樹脂フレーム２の底部２ｂから下方に長さｄだけ突出するように配置されている。また、スタンド部材４には、図４に示すように、スタンド部材４の使用時の開状態で設置面５０に面状に当接するゴム製の当接部４ａが設けられている。このスタンド部材４の当接部４ａは、図５に示すように、スタンド部材４の幅の中心に対して左右一対設けられている。また、スタンド部材４の当接部４ａは、図４に示すように、スタンド部材４の長さ方向（図４のＹ方向）に対して角度α（５０°〜７０°）傾斜した傾斜面４ｂを有する。この傾斜面４ｂは、設置面に対する接触長さとしての幅Ｗ２を有する。なお、傾斜面４ｂは、本発明の「第３傾斜面」の一例である。
【００２９】
また、ベース部材３には、図５に示すように、４つのねじ孔３ａが設けられている。このベース部材３のねじ孔３ａに、４つのねじ５が挿入されて締め付けられることにより、樹脂フレーム２の背面２ａに、ベース部材４が埋め込まれるように装着されている。
【００３０】
図６は、図１に示した一実施形態による液晶テレビのスタンド部材の非使用時の側面図である。次に、図２〜図４および図６を参照して、本発明の一実施形態における液晶テレビ１０の設置方法およびスタンド部材の非使用時の状態について説明する。
【００３１】
まず、図２に示すように、液晶テレビ１０を設置面５０上に設置する際には、スタンド部材４は、樹脂フレーム２の背面２ａ（ベース部材３）に対して所定の角度分だけ回動された開状態で液晶テレビ１０を支持している。
【００３２】
この際、本実施形態では、樹脂フレーム２の底部２ｂの傾斜面２ｃ（図３参照）と、スタンド部材４のスタンド部材４の当接部４ａ（図４参照）の傾斜面４ｂとが設置面５０に面状に当接している。その一方、スタンド部材４の非使用時には、図６に示すように、スタンド部材４は、ベース部材３に対して閉じた閉状態にされる。この際、スタンド部材４は、樹脂フレーム２の底部２ｂから下方に長さｄだけ突出した状態になる。
【００３３】
本実施形態では、上記のように、樹脂フレーム２の底部２ｂに、スタンド部材４の使用時の開状態で設置面５０に面状に当接する傾斜面２ｃを設けるとともに、スタンド部材４に、スタンド部材４の使用時の開状態で設置面５０に面状に当接する傾斜面４ｂを有する当接部４ａを設けることによって、設置面５０に対して樹脂フレーム２の底部２ｂおよびスタンド部材４が線状に当接する場合に比べて、面状に当接する傾斜面２ｃおよび傾斜面４ｂの部分だけ当接部４ａおよび樹脂フレーム２の底部２ｂと、設置面５０との接触面積が増加するので、設置面５０が水平方向に対して２０°程度傾斜しても、スタンド部材４の使用時の開状態で液晶テレビ１０が設置面５０に対して滑るのをより抑制することがで
きるとともに、液晶テレビ１０が転倒するのを抑制することができる。また、樹脂フレーム２の底部２ｂに、樹脂フレーム２を垂直に立てた状態で水平方向（図２のＸ１方向）に対して角度γ（５°〜２０°）傾斜した傾斜面２ｄを設けることによって、スタンド部材４の非使用時に樹脂フレーム２の底部２ｂを垂直に立てた状態で設置面５０に設置しようとした場合に、転倒しやすくすることができるので、スタンド部材４が使用されない不安定な状態で液晶テレビ１０が設置されるのを防止することができる。その結果、スタンド部材４の不使用時に、不安定な状態で設置された液晶テレビ１０が転倒することに起因して液晶テレビ１０が破損するのを防止することができる。また、樹脂フレーム２の底部２ｂに面状に当接する傾斜面２ｃを設けることによって、樹脂フレーム２の底部２ｂに滑り止め用のゴム部材を設けなくても、スタンド部材４の使用時の開状態で液晶テレビ１０が設置面５０に対して滑るのをより抑制することができるので、部品点数が増加するのを抑制することができる。また、１つのスタンド部材４の当接部４ａと樹脂フレーム２の底部２ｂとにより、液晶テレビ１０を設置することができるので、スタンド部材４を複数設ける必要がない。これによっても、部品点数が増加するのを抑制することができる。
【００３４】
また、本実施形態では、スタンド部材４を、閉状態で樹脂フレーム２の底部２ｂから下方に長さｄだけ突出するように設けることによって、スタンド部材４の非使用時に樹脂フレーム２の底部２ｂを垂直に立てた状態で設置面５０に設置しようとした際に、スタンド部材４の下方に設けられた当接部４ａを設置面５０に線状に接触させることができる。これにより、液晶テレビ１０をより転倒しやすくすることができるので、スタンド部材４が使用されない不安定な状態で液晶テレビ１０が設置されるのをより防止することができる。
【００３５】
また、本実施形態では、スタンド部材４の当接部４ａを、スタンド部材４の垂直方向の中心線に対して左右一対設けることによって、スタンド部材４の使用時の開状態で液晶テレビ１０が設置面５０に対して滑るのをさらに抑制することができる。
【００３６】
また、本実施形態では、スタンド部材４の当接部４ａをゴムにより形成することによって、スタンド部材４の使用時の開状態で液晶テレビ１０が設置面５０に対して滑るのをさらに抑制することができる。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３８】
たとえば、上記実施形態では、表示装置の一例として液晶テレビを示したが、本発明はこれに限らず、表示装置であれば、液晶テレビ以外のプラズマパネルディスプレイ（ＰＤＰ）などの他の表示装置にも適用可能である。
【００３９】
また、上記実施形態では、樹脂フレーム２の背面２ａの収納部２ｅにベース部材３を埋め込まれるように取り付けた例を示したが、本発明はこれに限らず、図７に示した変形例のように、樹脂フレーム２２の背面２２ａの表面に、スタンド部材２４が回動可能に取り付けられたベース部材２３を取り付けてもよい。なお、図７に示した変形例では、上記実施形態と同様に、液晶テレビ２０には、液晶表示ユニット２１と、傾斜面２２ｃおよび２２ｄを有する底部２２ｂと、傾斜面２４ｂを有する当接部２４ａとが設けられている。
【図面の簡単な説明】
【００４０】
【図１】本発明の一実施形態による液晶テレビの全体構成を示した正面図である。
【図２】図１に示した一実施形態による液晶テレビのスタンド部材の使用時の側面図である。
【図３】図１に示した一実施形態による液晶テレビを示した部分拡大図である。
【図４】図１に示した一実施形態による液晶テレビの当接部を示した部分拡大図である。
【図５】図１に示した一実施形態による液晶テレビを示した背面図である。
【図６】図１に示した一実施形態による液晶テレビのスタンド部材の非使用時の側面図である。
【図７】図１に示した一実施形態の変形例による液晶テレビを示した側面図である。
【図８】従来の一例による液晶テレビの全体構成を示した背面図である。
【図９】図８に示した従来の一例による液晶テレビのスタンド部材の使用時の側面図である。
【図１０】図８に示した従来の一例による液晶テレビの当接部の部分拡大図である。
【図１１】図８に示した従来の一例による液晶テレビのスタンド部材の非使用時の側面図である。
【符号の説明】
【００４１】
２  樹脂フレーム（筐体）
２ａ  背面
２ｂ  底部  
２ｃ  傾斜面（第１傾斜面）  
２ｄ  傾斜面（第２傾斜面）
３  ベース部材
４  スタンド部材
４ａ  当接部    
４ｂ  傾斜面（第３傾斜面）
１０  液晶テレビ
５０  設置面
【図１】
2006173847.tif 000003
【図２】
2006173847.tif 000004
【図３】
2006173847.tif 000005
【図４】
2006173847.tif 000006
【図５】
2006173847.tif 000007
【図６】
2006173847.tif 000008
【図７】
2006173847.tif 000009
【図８】
2006173847.tif 000010
【図９】
2006173847.tif 000011
【図１０】
2006173847.tif 000012
【図１１】
2006173847.tif 000013